(57)【要約】      （修正有）【課題】球形状を維持しながらも持ち易くすること。保冷効果を向上すること。【解決手段】上向きの口部１５ａを有する容器１と、容器の口部に被せる開閉可能な上蓋２と、容器の底部に一端部を接続する注出管５と、注出管の他端部に接続するコック６と、容器の底部を保持するスタンド４とを備える飲料サーバにおいて、容器が、内壁１１と外壁１２との間に中空部１３を備える二重壁構造であり、外壁の水平方向の両側に起伏可能な取っ手を備え、取っ手を伏せた状態の場合には、外壁と上蓋２と取っ手とによって球形状が形成され、取っ手を起こした状態の場合には、外壁と上蓋２によって形成される球形状から取っ手が外側に突出し、上蓋２にスティック保持部２５を備え、スティック保持部に蓄冷剤が封入された棒状の冷却スティックを容器の中に収容し得る飲料サーバ。【選択図】図２
2011020698.tif 000002
【特許請求の範囲】
【請求項１】
上向きの口部（１５ａ）を有する容器（１）と、容器（１）の口部（１５ａ）に被せる開閉可能な上蓋（２）と、容器（１）の底部に一端部を接続する注出管（５）と、注出管（５）の他端部に接続するコック（６）と、容器（１）の底部を保持するスタンド（４）とを備える飲料サーバにおいて、
容器（１）が、内壁（１１）と外壁（１２）との間に中空部（１３）を備える二重壁構造であり、
外壁（１２）の水平方向の両側に起伏可能な取っ手（３）を備え、
取っ手（３）を伏せた状態の場合には、外壁（１２）と上蓋（２）と取っ手（３）とによって球形状が形成され、取っ手（３）を起こした状態の場合には、外壁（１２）と上蓋（２）によって形成される球形状から取っ手（３）が外側に突出し、
上蓋（２）にスティック保持部（２５）を備え、スティック保持部（２５）に蓄冷剤（９）が封入された棒状の冷却スティック（７）を容器（１）の中に収容し得ることを特徴とする飲料サーバ。
【請求項２】
上蓋（２）は、上蓋本体（２１）と、上蓋キャップ（２２）とを備え、
上蓋本体（２１）は、容器口部（１５ａ）を覆う天板部（２３）から有底筒状のスティック保持部（２５）を垂下し、スティック保持部（２５）の上端部にスティック挿入口部（２５ａ）を備え、
上蓋キャップ（２２）はスティック挿入口部（２５ａ）を開閉するもので、
上蓋本体（２１）と閉じた上蓋キャップ（２２）とで球形状の上部を形成することを特徴とする請求項１記載の飲料サーバ。
【請求項３】
容器外壁（１２）は、球の上部及び底部を切除した形状の球状部（１２ａ）と、球状部（１２ａ）の底側から下に突出する設置部（１２ｂ）とを備え、容器内壁（１１）の底部とコック（６）とを接続する注出管（５）が、設置部（１２ｂ）内の中空部（１３）を横方向に通過していることを特徴とする請求項１又は２記載の飲料サーバ。
【請求項４】
閉じた上蓋（２）と容器（１）との境目に、上蓋（２）を開けるための治具又は指が挿入可能な空隙（２３ａ）を設けてあることを特徴とする請求項１、２又は３記載の飲料サーバ。
【請求項５】
閉状態のコック（６）の操作レバー（６４）は、指が挿入可能な程度、容器（１）から離れる方向に傾斜していることを特徴とする請求項１、２、３又は４記載の飲料サーバ。
【発明の詳細な説明】
【技術分野】
【０００１】
本発明は、ビール等の飲料を収容しておき、必要に応じて注ぎ出すことのできる飲料サーバに関する。
【背景技術】
【０００２】
従来の飲料サーバとして、テーブルに載置した状態で液体を注ぐことのできる縦長の大型のものがある。より具体的に言えば、テーブルに載置するベース上に栓体を介して縦長のパイプを起立し、パイプ内の液体を栓体に付いたコックから注ぐ飲料サーバがある（特許文献１、２、３）。
【先行技術文献】
【特許文献】
【０００３】
【特許文献１】特開平１１−３１４６９５号公報
【特許文献２】特開２０００−２７２６９９号公報
【特許文献３】特開２００７−１９７０１０号公報
【発明の概要】
【発明が解決しようとする課題】
【０００４】
しかしながら、従来の飲料サーバは、縦長のパイプ形状であり、飲料を収容する容器の形状としては一般的である。そこで、本発明者は、強い印象を視覚に訴えることができるように、容器をボール形状とした飲料サーバの開発に着手した。
【０００５】
通常、ボール形状は転がり易い形状なので、パイプ形状と比較すれば、持ち難い。しかも、飲料サーバという性質上、飲料を数kg収容するので、かなり重たくなる。従って、取っ手を付けることが望ましいが、かといって、容器と取っ手との関係を充分に考慮して設計しなければ、せっかくのボール形状が台無しになることもある。
【０００６】
たとえば、図９に示すように、取っ手９０とするために、指を入れる長孔９１を球状の容器の側部に形成したり、図１０に示すように、半円状の吊り手９２を用い、球状の容器の横方向両側に吊り手の両端部を連結したりするようなものである。これらの場合、容器のボール形状に大きな孔があくことや、ボール形状の表面側に全く別の部材が付くことから、容器のボール形状が明らかに損なわれる。
【０００７】
また、飲料サーバという性質上、保冷効果の向上、取り扱いの容易さが望まれる。
【０００８】
本発明は上記実情を考慮して創作されたもので、その解決課題は少なくとも球形状をできるだけ維持しながらも持ち易くすることである。
【課題を解決するための手段】
【０００９】
本発明は、上向きの口部を有する容器と、容器の口部に被せる開閉可能な上蓋と、容器の底部に一端部を接続する注出管と、注出管の他端部に接続するコックと、容器の底部を保持するスタンドとを備える飲料サーバを前提とする。
【００１０】
そして、請求項１の発明は、容器が、内壁と外壁との間に中空部を備える二重壁構造であり、外壁の水平方向の両側に起伏可能な取っ手を備え、取っ手を伏せた状態の場合には、外壁と上蓋と取っ手とによって球形状が形成され、取っ手を起こした状態の場合には、外壁と上蓋によって形成される球形状から取っ手が外側に突出し、上蓋にスティック保持部を備え、スティック保持部に蓄冷剤が封入された棒状の冷却スティックを容器の中に収容し得ることを特徴とする。
【００１１】
上蓋は、一部品だけで構成されていても良いし、上蓋本体と上蓋キャップとの二部品で構成されていても良い。一部品で構成する場合、その内面側にスティック保持部を形成するものであっても良い。例えば、冷却スティックが上端部に鍔部を有する形状の場合、その鍔部のみをくわえる一対のＬ字状のレールを上蓋の内面に対して平行に形成するようなものである。さらに、二部品で構成されている場合であっても、上蓋本体の天板部に単なる抜穴をあけ、その抜穴をスティック保持部とするものであっても良い。また、冷却スティックを取り付け易く、しかも取り付け状態を安定させるには次のようにすることが望ましい。即ち、請求項２の発明のように、上蓋は、上蓋本体と、上蓋キャップとを備え、上蓋本体は、容器口部を覆う天板部から有底筒状のスティック保持部を垂下し、スティック保持部の上端部にスティック挿入口部を備え、上蓋キャップはスティック挿入口部を開閉するもので、上蓋本体と閉じた上蓋キャップとで球形状の上部を形成することである。冷却スティックの上端部に鍔部がある形状であれば、スティック挿入口部もそれに合わせて広口の形状であることが望ましい。
【００１２】
液体を容器からコックに導く注出管は、その一端部を二重壁構造の容器よりも下方の位置に接続するものであっても良いが、この場合、注出管内に貯留されている液体は、二重壁構造の容器から完全に外に出ていることになるので、保冷効果が充分とはいい難い。従って、注出管の中の液体は、注出管の中に貯留されている時間が長いほど、ぬるくなる。このようなことをできるだけ避けるには、次のようにすることが望ましい。すなわち、請求項３の発明のように、容器外壁は、球の上部及び底部を切除した形状の球状部と、球状部の底側から下に突出する設置部とを備え、容器内壁の底部とコックとを接続する注出管が、設置部内の中空部を横方向に通過していることである。
【００１３】
閉じた上蓋と容器との間には殆ど隙間がなくても良いが、球形状を維持しながらも上蓋を開け易くするには次のようにすることが望ましい。即ち、請求項４の発明のように、閉じた上蓋と容器との境目に、上蓋を開けるための治具又は指が挿入可能な空隙を設けてあることである。
【００１４】
コックは、容器から大幅に離れていても良いが、製品が大型化し、見栄えも良くない。製品をコンパクトにしながらも見栄えを良くするには次のようにすることが望ましい。即ち、請求項５の発明のように、閉状態のコックの操作レバーは、指が挿入可能な程度、容器から離れる方向に傾斜していることである。
【発明の効果】
【００１５】
請求項１の発明は、取っ手を伏せた場合には、容器外壁と上蓋と取っ手とによって球形状が形成されるので、球形状を維持しながらビール等の飲料を注ぐことができる。反対に外壁の水平方向の両側の取っ手を起こした場合には、外壁と上蓋によって形成される球形状から取っ手が外側両側に突出するので、持ち易くなる。その上、容器が内壁と外壁との間に中空部を備える二重壁構造であり、しかも、スティック保持部を上蓋に備えるので、容器の外側に対しては断熱しながらも、スティック保持部に保持された冷却スティックにより、容器の中から液体を冷却することができ、保冷効果も高い。
【００１６】
請求項２の発明は、上蓋本体に対して上蓋キャップを開ければ、上蓋本体の天板部から垂下する有底筒状のスティック保持部に、冷却スティックを上方から挿入できるので、冷却スティックの出し入れ、ひいては取り扱いが容易になる。また、上蓋キャップを閉じれば、上蓋本体と上蓋キャップとで球形状の上部を形成するので、球形状も維持できる。
【００１７】
請求項３の発明は、容器の外壁が球状部と、球状部の底側から下に突出する設置部を備え、容器内壁の底部とコックとを接続する注出管が、設置部内の中空部を横方向に通過しているので、注出管の中に貯留されている液体の保冷効果が高い。
【００１８】
請求項４の発明は、閉じた上蓋と容器との境目に、上蓋を開けるための治具又は指が挿入可能な空隙を設けてあるので、上蓋を開けやすくなり、球形状を維持しながらも取り扱いが容易になる。
【００１９】
請求項５の発明は、閉状態のコックの操作レバーを、指が挿入可能な程度、容器から離れる方向に傾斜しているので、コックが容器の近くにあることになり、全体としてコンパクトになり、見栄えも良くなる。
【図面の簡単な説明】
【００２０】
【図１】本発明の飲料サーバを示す正面図である。
【図２】飲料サーバの要部縦断面図である。
【図３】取っ手と容器との関係を示す平面図である。
【図４】（イ）（ロ）（ハ）図は、容器の外体を示す底面図、Ａ−Ａ線断面図、取っ手の取付部分を断面にした正面図である。
【図５】（イ）（ロ）（ハ）（ニ）図は、取っ手を示す側面図、平面図、正面図、Ａ−Ａ線断面図である。
【図６】（イ）（ロ）（ハ）（ニ）図は、注出管のエルボを示す平面図、縦断面図、正面図、右側面図である。
【図７】（イ）（ロ）図は、スタンドの仮受台の底面図、Ａ−Ａ線断面図である。
【図８】飲料サーバの全体像を示す斜視図である。
【図９】容器の一部を取っ手とする飲料サーバを示す断面図である。
【図１０】取っ手を吊り下げ式とする飲料サーバを示す正面図である。
【発明を実施するための形態】
【００２１】
本発明の飲料サーバは図１、図２、図８に示すように、容器１と、容器１に被さる上蓋２と、容器１の外側であって水平方向の両側に起伏可能に連結してある一対の取っ手３と、容器１を下から支えるスタンド４と、容器１から外部に液体を導く注出管５と、注出管５の開閉をするコック６とから構成される。取っ手３を伏せた状態の場合、容器１と上蓋２と取っ手３によって球形状の外観が形成され、取っ手３を起こしたの場合、容器１と上蓋２によって形成される球形状の外観から取っ手３が外側に突出し、これらいずれの場合も球形状の底部を下からスタンド４によって支えてある。以下、各構成要素について詳述する。
【００２２】
容器１は、内壁１１と外壁１２との間に中空部１３を備える二重壁構造である。
内壁１１は、容器１の内形を形作ると共に液体を直に収容する器部分であり、その形状をより詳しく言えば、その上部が鉛直な筒状であり、その下部が尻すぼみのテーパ形状であり、その底部が平らになっている。
一方、外壁１２は、容器１の外形を形作ると共に内壁１１の上端に連続しつつ内壁１１の外側を囲む部分であり、その形状をより詳しく言えば、球の上部と底部を切除した形状の球状部１２ａと、球状部１２ａの底側から下に突出するカップ状の設置部１２ｂとを備える形状である。設置部１２ｂは、平面視した場合に容器１の中央部に位置する。そして、設置部１２ｂは、球状部１２ａから下に連続して突出する筒状部１２ｃと、筒状部１２ｃの下端開放口を塞ぐ着脱可能な裏蓋１４とから構成してある。従って、容器１は、裏蓋１４と、裏蓋１４以外の部分、即ち裏蓋１４を底部に着脱可能な容器本体１５との二体から構成してある。
【００２３】
裏蓋１４は、合成樹脂製で、板状の裏蓋本体１４ａの外周部に沿って、連結片１４ｂを上方に突出してある。連結片１４ｂと筒状部１２ｃの下部とをその全周に亘って凹凸によって嵌合する。図では、凸部と凹部の符号は省略するが、連結片１４ｂの内周側に凸部を形成し、筒状部１２ｃの外周側に凹部を形成してある。
【００２４】
容器本体１５は、合成樹脂製で、内壁１１及び外壁１２の上部を形作る内体１６と、外壁１２の下部を形作る外体１７との二体を超音波溶着等して一体にしたものである。この溶着等による一体箇所は、球を上下に二等分する場合の二等分線の位置である。溶着等して一体にした箇所よりも下側であってその近傍において、図４に示すように、外体１７（外壁１２）には取っ手３を収容する収容凹部１７ａを、取っ手３の形状に合わせて内側に窪ませて設けてある。なお、取っ手３を伏せて収容凹部１７ａに収容した場合でも、収容凹部１７ａの下端部は外向きに開口しており、この開口部分が指先で取っ手３を操作する際の手がかりになる。収容凹部１７ａが外体１７に設けてあることから、内体１６の外壁１２箇所に設けてある場合よりも安定感のある状態で取っ手３を掴むことができる。また、図２に示すように容器本体１５は、その上端部が上向きに開口する口部１５ａとなる。この口部１５ａの内径は、球形状の直径よりも小さくなっている。つまり、口部１５ａの上端が、二等分線よりも上、より正確に言えば、球の直径Ｄの３／４よりも上側なので、液体を多量に収容できる。
【００２５】
取っ手３は図３又は図５に示すように、支点となる水平な凸状の軸３１と、軸３１を収容する凹状の軸保持穴３１ａとの嵌め合わせによって、容器本体１５に対して起伏可能にに連結されるものである。取っ手３は、球の外面の一部を形作る板状の取っ手本体３２を備えている。取っ手本体３２は、下辺が円弧状であって、その上辺がその中央部に溝状に窪む上向き溝部３３を形成し、上向き溝部３３の両側をそれぞれ腕部３４とするものである。各腕部３４の内面側には内側に延長する軸支持リブ３５を設け、各軸支持リブ３５には軸３１を上向き溝部３３内に向かって対称的に水平に突出してある。なお、取っ手本体３２には、上向き溝部３３の下側に沿って本体リブ３６が内側に突出している。図４に示すように、一対の腕部３４の間に挟まれる被挟持部１７ｂが、容器本体１５の外壁１２には前述の収容凹部１７ａに隣接して外側に突出して形成されており、被挟持部１７ｂの左右両側には、軸３１が嵌る凹状の軸保持穴３１ａが形成されている。従って、取っ手３は、一対の軸３１を中心にして起伏可能となる。そして、取っ手３を伏せた（閉じた）状態の場合、外壁１２と上蓋２と取っ手３によって球形状（より詳しくは、底部を切除した球形状）の外観が形成され、取っ手３を起こした（開いた状態）の場合、外壁１２と上蓋２によって形成される球形状の外観から取っ手３が略水平に外側に突出している。収容凹部１７ａと腕部３４が干渉して、取っ手３が水平に保持される。なお、当然のことながら、取っ手３を起こした場合の球形状は収容凹部１７ａの分だけ窪んでいるので、取っ手３を伏せた場合の球形状よりも、表面が歪である。
【００２６】
上蓋２は図２に示すように、容器本体１５の口部１５ａに開閉可能、より詳しくは着脱可能に被せるもので、球形状の上部を形作る上蓋本体２１と、上蓋本体２１の頂部に開閉可能（着脱可能）に嵌め込む上蓋キャップ２２とを備えている。
【００２７】
上蓋本体２１は、球形状の上部に相当する天板部２３を備え、天板部２３の外周縁部を容器１の口部１５ａに載る部分としてある。この天板部２３の外周縁部と口部１５ａとの境目に治具又は指が挿入可能な空隙２３ａを所々に設けてある。図では、この空隙２３ａは、口部１５ａの外面を局部的に凹ませたもので、外側から治具などを挿入して、上蓋２を開ける際の手掛かりとしてある。また上蓋本体２１は天板部２３の外周縁部よりも内側から係合部２４を垂下し、この係合部２４を口部１５ａの内側（内壁１１の上端部内側）に挿入するものとしてある。係合部２４の外周全周に亘ってＯリングを嵌合しておくことにより、係合部２４と内壁１１との間の密閉性を向上してある。
【００２８】
上蓋本体２１は、天板部２３の中央部にスティック保持部２５を備えている。スティック保持部２５は、その内部に冷却スティック７の蓄冷剤９よりも凍結温度の高い冷媒液８を収容可能にすると共に、冷却スティック７を収容した場合には、収容前よりも冷媒液８の水位を上昇させて冷却スティック７の外周側を冷媒液８で囲むものである。
【００２９】
また、スティック保持部２５は、上方が開口している有底筒状の収容ケースであって、上端部が冷却スティック７を挿入するスティック挿入口部２５ａとなり、上端部より下側部分が冷却スティック７の胴部７１を収容する胴部収容部２５ｂとなる。その上、スティック保持部２５は、冷却スティック７の形状に合わせ、スティック挿入口部２５ａを、胴部収容部２５ｂよりも外側に突出する段付きの形状としてある。そして、全体として下方に向かうにつれて内径および外径が狭くなるテーパ形状としてあるので、スティック保持部２５の内面を洗いやすい。
【００３０】
スティック挿入口部２５ａは、その内側上部に上蓋キャップ２２を、その内側下部に冷却スティック７の鍔部７２をそれぞれ位置決めして収容する。
【００３１】
胴部収容部２５ｂは、冷却スティック７の胴部７１の外周側を、筒状の冷媒液収容空間を介して取り囲むもので、冷却スティック７の鍔部７２よりも小径に形成してある。胴部収容部２５ｂは、中に入れる冷媒液８がオーバーフローするのを予防するために目印（図示せず）を刻設しておくことが望ましい。例えば、胴部収容部２５ｂの内周面および外周面において、全深さの約１／３に目印を入れておく。胴部収容部２５ｂは透明であるので、中に入る冷媒液８を外側から目視でき、冷媒液８の水位を目印にあわせ易い。
【００３２】
上蓋キャップ２２は、スティック挿入口部２５ａを塞ぐ隠蔽板２６と、隠蔽板２６の外周縁部よりも内側から垂下する位置決め板２７と、隠蔽板２６の上に突出する把持板２８とから構成される。隠蔽板２６は、外周部が球形状の頂部のような曲面で、その中央部が凹んでいる。また、位置決め板２７は、円筒状であって、スティック挿入口部２５ａと冷却スティック７の鍔部７２との間に嵌り込むことにより、スティック保持部２５と冷却スティック７との間に筒状の冷媒液収容空間を形成する。把持板２８は、上蓋キャップ２２を使用する際に、指でつまむものであり、平面視すると、隠蔽板２６の中央から外周の対向する箇所に一直線に延長する状態となっている。なお、把持板２８の上端は、容器１と上蓋２等で形成される球形状に一致する高さまで突出しているが、それよりも低くても良い。
【００３３】
冷媒液８は、凍結した蓄冷剤９の冷たさを緩和して容器１内の液体に伝えるもので、蓄冷剤９よりも凍結温度の高い液体、一例としては水が用いられる。
【００３４】
冷却スティック７は、内部に蓄冷剤９が封入された棒状の胴部７１と、胴部７１の上端部からその全周に亘って外側に突出するリング状の鍔部７２とを備えるものである。
【００３５】
蓄冷剤９は半透明で、例えば塩分含有量が全体の重量比で１５％程度の配合割合のものを用い、その塩分含有量により、−２０℃〜−５℃の範囲で凍結又は解凍する性質を有するものを用いる。また、塩分となる材料として、塩化カリウムを用い、全体の重量比で１０〜２０％の配合割合とすることにより、ほぼ確実に蓄冷剤９全体が凍結するものと推測される。また、Ｃ．Ｍ．Ｃ（カルボキシメチルセルロース）は、白色〜類白色の粉末であり、その性状は温水だけでなく冷水にも溶解し、溶解時には増粘性を呈するものである。このＣ．Ｍ．Ｃを蓄冷剤９の成分として全体の重量比で１．０〜２．０％で配合することにより、蓄冷剤９が粘結性を呈する。
【００３６】
スタンド４は図１、図２又は図７に示すように、テーブルの上に置く受台４１と、受台４１の上に載せる仮受台４２とから構成してある。仮受台４２は、受台４１の上に抜き差し可能に嵌め込むと共に、容器１の設置部１２ｂに着脱可能に嵌め込むものである。仮受台４２は全体として筒状であって、その上部において設置部１２ｂの筒状部１２ｃを取り囲んで覆い、その高さ中間部において設置部１２ｂを下から支えると共に、凹凸による嵌め合わせによって設置部１２ｂに対して着脱可能に連結する。このため、仮受台４２は、筒状の仮受台本体４２ａの上部を設置部１２ｂの形状に合わせて下窄まりのテーパ形状にしてあり、その高さ中間部においては、その内周に沿って凸状の支持片４２ｂを内向きに突出してある。一方、設置部１２ｂの筒状部１２ｃは、テーパ形状の大径部１２ｄの下側に小径の小径部１２ｅが段差状に設けてあり、大径部１２ｄと小径部１２ｅとの境界である段差部１２ｆが支持片４２ｂによって支えられている。また、小径部１２ｅの上端には、支持片４２ｂの先部（内周部）が嵌る凹状の係合溝（符号省略）を形成してある。このように嵌り合って仮受台４２が容器１と一体化すると、仮受台４２ごと容器１をテーブルに置いてもコック６の下端がテーブルに触れないので、受台４１が見当たらない場合でも使用でき、取り扱いに優れている。
【００３７】
受台４１は、仮受台４２の下部の内側に嵌り込むと共に、仮受台４２の下端を支持するもので、中央部が凹んだ上板部４１ａと、上板部４１ａの外周から垂下する周板部４１ｂとを備える。周板部４１ｂは、上端部が下部に比べて段差状に小径となっており、この段差状の部分に仮受台４２の下端を載せる。また、周板部４１ｂの下部は末広がり状になっている。なお、周板部４１ｂはコック６の真下付近を内側に窪ませると共に、コップ台を設けてある。
【００３８】
注出管５は図２又は図６に示すように、内壁１１の底部とコック６とを接続するもので、設置部１２ｂ内の中空部１３を横方向に通過している。そして、注出管５は、縦管部５１ａ及び横管部５１ｂからなるＬ字状のエルボ５１と、エルボ５１とコック６を接続するジョイントユニット５２とから構成される。エルボ５１は、その一端部を、内壁１１の底部の液排出口部１１ａに超音波溶着等して一体に接続してある。より詳しく言えば、内壁１１の底部中央部には筒状の液排出口部１１ａを下向きに連続して垂下してあり、エルボ５１の縦管部５１ａの上端部を液排出口部１１ａの外側を囲む形状とした上で、超音波溶着等して一体としてある。また、エルボ５１は、その他端側の途中を設置部１２ｂに着脱可能に嵌め込んである。より詳しく言えば、容器本体１５の設置部１２ｂにはその周方向の一部について内側に窪む窪み部１２ｇを形成し、この窪み部１２ｇに下端から逆Ｕ字状に切除した第１の管通し窓１２ｈを形成し、エルボ５１の横管部５１ｂの途中にその外周に亘って環状の鍔部５１ｃを、二枚間隔をあけて形成し、二枚の鍔部５１ｃの間に形成される嵌合溝（符号省略）を第１の管通し窓１２ｈの上部に嵌め込んである。また、一枚の鍔部５１ｃについては第１の管通し窓１２ｈの下部を塞ぐカバー片５１ｄが連続して垂下しており、カバー片５１ｄが容器１の外壁１２の一部を構成している。
【００３９】
ジョイントユニット５２は図２に示すように、エルボ５１の他端部とコック６の導入管６２を連結するものである。図ではジョイントユニット５２は、延長管５３や、複数のナット５４から構成されており、ナット５４によるネジ作用や、そのネジ作用を利用しての締め付け作用によって、エルボ５１の他端部とコック６の導入管６２との間を連結してある。なお、注出管５を通すために仮受台４２にはＵ字状に切除した第２の管通し窓４２ｃを設けてある。
【００４０】
コック６は図２に示すように、液体を通す縦筒状の通路を有するコック本体６１と、コック本体６１の高さ中間部の側面から突出する導入管６２と、コック本体６１の上部に支軸６３で連結している操作レバー６４とを備えている。操作レバー６４は閉状態において、その下部（支軸６３を備える部分）に対して上部を、容器１から離れる方向に傾斜してある。より詳しく言えば、容器１と離れながらもその接線方向に沿うように斜め上向きに傾斜しており、このときの容器１との間隔Ｇを指が挿入可能な程度としてある。また、このときコック本体６１内の図示しないバルブが下降しており、通路が閉じている。そして、支軸６３を支点にして操作レバー６４をさらに手前側に引くと、コック本体６１内のバルブが上昇して通路が開いて、コック本体６１の下から液体を排出させる。
【００４１】
上述した本発明は、遠くから見れば真の球形状がスタンド４の上に載っているように見えるので非常に見栄えが良い。また、球形状のすぐ真下から注出管５が横方向に突出する構造になっているので、球から液体が排出されているような感覚を醸し出している。球形状のすぐ真下とは、より詳しく言えば図１に示すように、注出管５の高さが、球の直径Ｄの下端よりも下側であって球の直径Ｄの１／４の高さ範囲内にあるような場合である。
【００４２】
本発明は上記実施形態に限定されない。例えば、容器１と上蓋２と取っ手３から形成される球形状の表面には図８では、サッカーボールの模様を付けてあるが、バレーボール、ハンドボール、バスケットボール、ドッヂボール、或いは地球儀、星座などの模様をつけても良い。このようにすれば、サッカーなどの話をする場に、この飲料サーバを置いておくと、場の雰囲気の盛り上げにも一役買うことがある。また、中空部１３は、氷を入れて使用することもできるが、断熱空間として利用することが望ましい。このようにすると、容器１の表面が結露しない。さらに、上蓋２は、上蓋キャップ２２のない構造であっても良い。この場合、上蓋本体２１の内面側にスティック保持部２５を形成する。なお、設置部１２ｂは、必ずしも下窄まりのテーパ形状でなくても良い。また、上蓋２や上蓋キャップ２２は図では容器１や上蓋本体２１から取り外すことができるように、つまり着脱可能な構造となっているが、取っ手３のように凹凸によって嵌り合って軸支するような構造として簡単には取り外せないようにしても良い。
【符号の説明】
【００４３】
１容器                                ２上蓋
３取っ手                              ４スタンド
５注出管                              ６コック
７冷却スティック                      ８冷媒液
９蓄冷剤
１１内壁                              １１ａ液排出口部
１２外壁                              １２ａ球状部
１２ｂ設置部                          １２ｃ筒状部
１２ｄ大径部                          １２ｅ小径部
１２ｆ段差部                          １２ｇ窪み部
１２ｈ第１の管通し窓
１３中空部                            １４裏蓋
１４ａ裏蓋本体                        １４ｂ連結片
１５容器本体                          １５ａ口部
１６内体                              １７外体
１７ａ収容凹部                        １７ｂ被挟持部
２１上蓋本体                          ２２上蓋キャップ
２３天板部                            ２３ａ空隙
２４係合部                            ２５スティック保持部
２５ａスティック挿入口部              ２５ｂ胴部収容部
２６隠蔽板                            ２７位置決め板
２８把持板
３１軸                                ３１ａ軸保持穴
３２取っ手本体                        ３３上向き溝部
３４腕部                              ３５軸支持リブ
３６本体リブ
４１受台                              ４１ａ上板部
４１ｂ周板部
４２仮受台
４２ａ仮受台本体                      ４２ｂ支持片
４２ｃ第２の管通し窓
５１エルボ                            ５１ａ縦管部
５１ｂ横管部                          ５１ｃ鍔部
５１ｄカバー片
５２ジョイントユニット                ５３延長管
５４ナット
６１コック本体                        ６２導入管
６３支軸                              ６４操作レバー
７１胴部                              ７２鍔部
９０取っ手                            ９１長孔
９２吊り手
【図１】
2011020698.tif 000003
【図２】
2011020698.tif 000004
【図３】
2011020698.tif 000005
【図４】
2011020698.tif 000006
【図５】
2011020698.tif 000007
【図６】
2011020698.tif 000008
【図７】
2011020698.tif 000009
【図８】
2011020698.tif 000010
【図９】
2011020698.tif 000011
【図１０】
2011020698.tif 000012